(57)【要約】【課題】地図情報と連携して配信される電子チラシをユーザが選り分けるにあたり、チラシとしての効用が十分に発揮されるようにする。【解決手段】地図画像上で店舗の位置を示す店舗標示のうちから、操作によって選択された店舗標示が示す店舗が配信している電子チラシのサムネイル画像を表示し、表示されたサムネイル画像のうちから、操作によって閲覧対象とすべきことが指定された電子チラシを閲覧対象に登録する。そのうえで、地図画像上に店舗標示を配置した店舗案内画像を表示するにあたり、閲覧対象に登録されている電子チラシを配信している店舗の店舗標示と、閲覧対象に登録されている電子チラシを配信していない店舗の店舗標示とについて、それぞれ異なる態様により表示されるようにする。【選択図】図７
2014194640.tif 000002
【特許請求の範囲】
【請求項１】
地図画像上で店舗の位置を示すように配置される店舗標示のうちから、操作によって選択された店舗標示が示す店舗が配信している電子チラシのサムネイル画像を表示するチラシサムネイル表示部と、
前記チラシサムネイル表示部によって表示されたサムネイル画像のうちから指定されたサムネイル画像に対応する電子チラシを閲覧対象に登録する閲覧対象チラシ管理部と、
前記地図画像上に前記店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する店舗案内画像表示部と
を備える電子チラシ閲覧装置。
【請求項２】
前記チラシサムネイル表示部は、
表示すべきサムネイル画像のうちで、閲覧対象に登録されている電子チラシのサムネイル画像については、閲覧対象に登録されていることを示す態様により表示する
請求項１に記載の電子チラシ閲覧装置。
【請求項３】
前記閲覧対象チラシ管理部は、
閲覧対象に登録されていた電子チラシを閲覧対象から除外する操作が行われるのに応じて、当該操作の対象とされた電子チラシを閲覧対象から除外し、
前記店舗案内画像表示部は、
電子チラシが閲覧対象から除外されたことによって配信している電子チラシの全てが閲覧対象外となった店舗の店舗標示について、閲覧対象に登録されている電子チラシを配信していないことを示す態様に変更する
請求項１または２に記載の電子チラシ閲覧装置。
【請求項４】
地図画像上で店舗の位置を示すように配置される店舗標示のうちから、操作によって選択された店舗標示が示す店舗が配信している電子チラシのサムネイル画像を表示するチラシサムネイル表示ステップと、
前記チラシサムネイル表示ステップによって表示されたサムネイル画像のうちから指定されたサムネイル画像に対応する電子チラシを閲覧対象に登録する閲覧対象チラシ管理ステップと、
前記地図画像上に前記店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する店舗案内画像表示ステップと
を備える電子チラシ閲覧方法。
【請求項５】
コンピュータに、
地図画像上で店舗の位置を示すように配置される店舗標示のうちから、操作によって選択された店舗標示が示す店舗が配信している電子チラシのサムネイル画像を表示するチラシサムネイル表示ステップと、
前記チラシサムネイル表示ステップによって表示されたサムネイル画像のうちから指定されたサムネイル画像に対応する電子チラシを閲覧対象に登録する閲覧対象チラシ管理ステップと、
前記地図画像上に前記店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する店舗案内画像表示ステップと
を実行させるためのプログラム。
【発明の詳細な説明】
【技術分野】
【０００１】
本発明は、電子チラシ閲覧装置、電子チラシ閲覧方法及びプログラムに関する。
【背景技術】
【０００２】
ネットワークを利用して広告情報を端末に配信することが行われている。例えば、特許文献１には、以下のような販売促進システムが記載されている。
特許文献１に記載の販売促進システムにおいては、ユーザ端末からの店舗情報の取得要求に応じて、店舗情報提供サーバが、ユーザ情報の示す住所の周辺の地図情報のＷｅｂページを送信する。ユーザ端末は、受信したＷｅｂページを利用して、地図画像上に店舗のアイコンが配置された画像を表示させる。また、ユーザ端末装置は、店舗のアイコンに対するクリック操作に応じて店舗情報のＷｅｂページの取得要求を店舗情報提供サーバに送信し、店舗情報提供サーバは、店舗の基本情報（店名、住所、電話番号など）と広告情報を合成したＷｅｂページをユーザ端末に送信し、ユーザ端末は、受信したＷｅｂページを表示させるというものである。
これにより、ユーザは、例えば自宅などの近辺にどのような店舗があり、また、店舗がどのようなセールなどを行っているのかを知ることができる。
【先行技術文献】
【特許文献】
【０００３】
【特許文献１】特開２００８−２１７４１８号公報
【発明の概要】
【発明が解決しようとする課題】
【０００４】
しかしながら、上記のように配信される広告情報（電子チラシ）は、すべてがユーザにとって有用なわけではなく、ユーザにとって不要なものも含まれている。このため、電子チラシを配信するシステムにおいては、配信される電子チラシのうちからユーザにとって有用なものと不要なものとを選り分けられるようにすることが求められる。
そこで、特許文献１に記載される販売促進システムでは、ユーザが、例えば店舗名、地域、業種などの検索条件を入力して店舗を絞り込むことによって、配信される電子チラシを選り分けるようにしている。
【０００５】
例えば、新聞の折り込みチラシなどは、ユーザが１枚１枚内容を選り分けながら見ていくことで、ユーザ自身が意識していなかった商品であっても、ユーザの目にとまり、例えば購入に結びつけることができるという効用を有している。
しかし、特許文献１のように店舗の絞り込み検索によって電子チラシを選り分けようとすると、電子チラシの内容を確認する前に電子チラシの選り分けが行われてしまうことになる。このために、電子チラシを配信しているにもかかわらず、上記のようなチラシとしての効用を十分に発揮できなくなってしまう。
【０００６】
本発明は、このような事情に鑑みてなされたもので、地図情報と連携して配信される電子チラシをユーザが選り分けるにあたり、チラシとしての効用が十分に発揮されるようにすることを目的とする。
【課題を解決するための手段】
【０００７】
上述した課題を解決するために、本発明の一態様としての電子チラシ閲覧装置は、地図画像上で店舗の位置を示すように配置される店舗標示のうちから、操作によって選択された店舗標示が示す店舗が配信している電子チラシのサムネイル画像を表示するチラシサムネイル表示部と、前記チラシサムネイル表示部によって表示されたサムネイル画像のうちから指定されたサムネイル画像に対応する電子チラシを閲覧対象に登録する閲覧対象チラシ管理部と、前記地図画像上に前記店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する店舗案内画像表示部とを備える。
【０００８】
また、上記の電子チラシ閲覧装置において、前記チラシサムネイル表示部は、表示対象とすべきサムネイル画像のうちで、閲覧対象に登録されている電子チラシのサムネイル画像については、閲覧対象に登録されていることを示す態様により表示してもよい。
【０００９】
また、上記の電子チラシ閲覧装置において、前記閲覧対象チラシ管理部は、閲覧対象に登録されていた電子チラシを閲覧対象から除外する操作が行われるのに応じて、当該操作の対象とされた電子チラシを閲覧対象から除外し、前記店舗案内画像表示部は、電子チラシが閲覧対象から除外されたことによって配信している電子チラシの全てが閲覧対象外となった店舗の店舗標示について、閲覧対象に登録されている電子チラシを配信していないことを示す態様に変更してもよい。
【００１０】
また、本発明の一態様としての電子チラシ閲覧方法は、地図画像上で店舗の位置を示すように配置される店舗標示のうちから、操作によって選択された店舗標示が示す店舗が配信している電子チラシのサムネイル画像を表示するチラシサムネイル表示ステップと、前記チラシサムネイル表示ステップによって表示されたサムネイル画像のうちから指定されたサムネイル画像に対応する電子チラシを閲覧対象に登録する閲覧対象チラシ管理ステップと、前記地図画像上に前記店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する店舗案内画像表示ステップとを備える。
【００１１】
また、本発明の一態様としてのプログラムは、コンピュータに、地図画像上で店舗の位置を示すように配置される店舗標示のうちから、操作によって選択された店舗標示が示す店舗が配信している電子チラシのサムネイル画像を表示するチラシサムネイル表示ステップと、前記チラシサムネイル表示ステップによって表示されたサムネイル画像のうちから指定されたサムネイル画像に対応する電子チラシを閲覧対象に登録する閲覧対象チラシ管理ステップと、前記地図画像上に前記店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する店舗案内画像表示ステップとを実行させるためのものである。
【発明の効果】
【００１２】
以上説明したように、本発明によれば、地図情報と連携して配信される電子チラシをユーザが選り分けるにあたり、チラシとしての効用が十分に発揮されるようになるという効果が得られる。
【図面の簡単な説明】
【００１３】
【図１】本実施形態に係る電子チラシ配信システムの構成例を示す図である。
【図２】本実施形態に係る端末装置に表示される店舗案内画像の表示態様例と、店舗標示に対する操作に応じた電子チラシのサムネイル画像の表示態様例を示す図である。
【図３】本実施形態に係る端末装置に対して行われる閲覧対象の電子チラシの登録操作例と、登録操作に応じた表示態様例を示す図である。
【図４】本実施形態に係る端末装置における、店舗標示に対する操作に応じて表示される電子チラシのサムネイル画像の態様例を示す図である。
【図５】本実施形態に係る端末装置における、閲覧対象の電子チラシを閲覧するための操作に応じた表示態様例を示す図である。
【図６】本実施形態に係る端末装置における、閲覧対象チラシリストから電子チラシを除外するための操作に応じた表示態様例を示す図である。
【図７】本実施形態に係る端末装置の構成例を示す図である。
【図８】本実施形態に係る配信状況情報の構造例を示す図である。
【図９】本実施形態に係る端末装置が店舗案内画像の表示のために実行する処理手順例を示すフローチャートである。
【図１０】本実施形態に係る端末装置が店舗標示の表示のために実行する処理手順例を示すフローチャートである。
【図１１】本実施形態に係る端末装置が閲覧対象の電子チラシの登録または除外の操作に応じて実行する処理手順例を示すフローチャートである。
【図１２】本実施形態に係る端末装置が店舗標示に対する操作に応じた電子チラシのサムネイル画像の表示のために実行する処理手順例を示すフローチャートである。
【発明を実施するための形態】
【００１４】
［電子チラシ配信システムの全体構成例］
図１は、本実施形態の電子チラシ配信システムの全体的な構成例を示している。本実施形態の電子チラシ配信システムは、電子チラシ配信サーバ１００、地図サーバ２００及び端末装置（電子チラシ閲覧装置）３００を備える。
電子チラシ配信サーバ１００、地図サーバ２００及び端末装置３００は、それぞれネットワーク４００と接続されている。これにより、電子チラシ配信サーバ１００と地図サーバ２００と端末装置３００は、ネットワーク４００を経由して相互に通信が可能である。
【００１５】
電子チラシ配信サーバ１００は、電子チラシを端末装置３００に配信する。電子チラシは、例えば、新聞の折り込みチラシなどのように紙媒体で配布されるチラシを電子化した広告情報である。
電子チラシ配信サーバ１００には、例えば広告元である各種の店舗やサービス業者などの電子チラシが入稿される。電子チラシの入稿にあたっては、例えば、広告元が所有する端末装置（図示は省略）から電子チラシ配信サーバ１００に対して電子チラシのデータが送信される。電子チラシ配信サーバ１００は、入稿された電子チラシのデータを記憶し、記憶した電子チラシのデータを端末装置３００に対して配信する。
【００１６】
また、本実施形態の電子チラシ配信サーバ１００は、電子チラシを配信(公開)中の配信元の店舗に関する店舗情報と、配信元の各店舗が配信中の電子チラシについての電子チラシ情報とを含む配信状況情報を端末装置３００に送信する。
配信状況情報は、端末装置３００における店舗案内画像の表示に利用される。店舗案内画像は、地図画像上に店舗標示を配置した画像である。店舗標示は店舗の位置を示す標示（マーク、アイコンなど）である。
地図サーバ２００は、地図情報を記憶し、記憶した地図情報をネットワーク４００経由で端末装置３００に送信する。
【００１７】
端末装置３００は、ユーザが使用するネットワーク端末である。具体的に、端末装置３００は、パーソナルコンピュータ、携帯電話、スマートフォン、タブレット端末などである。
本実施形態の端末装置３００は、電子チラシ閲覧アプリケーション３１０がインストールされている。電子チラシ閲覧アプリケーション３１０は、電子チラシ配信サーバ１００から配信される電子チラシを閲覧するためのアプリケーションソフトウェアである。また、電子チラシ閲覧アプリケーション３１０は、地図サーバ２００から取得した地図情報と、電子チラシ配信サーバ１００から取得した配信状況情報とを利用して店舗案内画像を表示させることができる。
【００１８】
店舗案内画像は、前述のように、地図画像上に電子チラシを配信中の店舗を示す店舗標示が配置された画像である。また、ユーザは、端末装置３００の表示部に表示された店舗案内画像に対する操作によって、電子チラシの閲覧に関する各種の操作を行うことができる。このように、本実施形態の電子チラシ閲覧アプリケーション３１０は、電子チラシの閲覧にあたり、地図情報と連携した操作画面を提供することができる。
【００１９】
また、電子チラシ閲覧アプリケーション３１０が動作する端末装置３００は、例えば店舗案内画像をはじめとする操作画面に対して行われた電子チラシ閲覧指示の操作に応じて、指示された電子チラシの要求を電子チラシ配信サーバ１００に対して送信する。電子チラシの要求の受信に応じて、電子チラシ配信サーバ１００は、指定された電子チラシのデータを要求元の端末装置３００に送信する。電子チラシ閲覧アプリケーション３１０が動作する端末装置３００は、受信した電子チラシを、例えば表示により出力する。
【００２０】
［店舗案内画像例］
次に、図２〜図６を参照して、端末装置３００に表示される店舗案内画像の表示態様例と、店舗案内画像に対する操作例とについて説明する。
なお、以降の説明にあたり、端末装置３００の表示部３０４の画面はタッチパネルと組み合わされており、表示部３０４の画面に対して指やペンタブレットなどの操作体を触れることによる操作が可能である場合を例に挙げる。
【００２１】
端末装置３００上で電子チラシ閲覧アプリケーション３１０を動作させた状態において、例えばユーザが店舗案内画像の表示を指示する所定操作を行うのに応じて、端末装置３００の表示部３０４の画面には、図２（ａ）に示すような店舗案内画像が表示される。
【００２２】
図２（ａ）に示す店舗案内画像は、地図画像上に店舗標示ＭＫ１が配置されている。店舗標示ＭＫ１は、配置された位置により地図上での店舗の位置を示す。店舗標示ＭＫ１により示される店舗は、例えば、現在において電子チラシ配信サーバ１００により電子チラシを配信（公開）中の店舗を含んでいる。
【００２３】
店舗案内画像は、例えば画面に対してユーザが行うスライド操作などに応じて任意の方向にスクロールさせることができる。このような操作に応じて地図画像として表示される地域範囲が変更され、地域範囲の表示の変更に伴って店舗標示ＭＫ１により示される店舗も変更される。
なお、店舗案内画像の初期表示にあたって、地図画像の基準位置については、例えば自宅や勤務地などの予めユーザが登録した登録位置であればよい。あるいは、端末装置３００の測位機能などを利用して、端末装置３００の現在位置を基準位置としてもよい。また、初期表示の基準位置について、登録位置と端末装置３００の現在位置のうちのいずれかをユーザが操作によって選択できるようにしてもよい。
【００２４】
店舗案内画像においては、例えば電子チラシを配信中の店舗だけではなく、電子チラシを配信中でない店舗についても店舗標示ＭＫ１により示すようにしてよい。
この場合には、電子チラシを配信中の店舗を示す店舗標示ＭＫ１と、電子チラシを配信中でない店舗を示す店舗標示ＭＫ１とで、例えば、色、大きさ、絵柄などの態様を異なるようにすることが好ましい。これにより、ユーザが、電子チラシを配信中の店舗と配信中でない店舗とを視覚的に容易に区別できるようになる。
【００２５】
また、電子チラシは、例えば店舗の業種などに対応したカテゴリによって分類されている。そこで、電子チラシを配信中の店舗を示す店舗標示ＭＫ１については、電子チラシのカテゴリごとに応じて色を変更するなど、カテゴリに応じて態様を変更してもよい。
また、ユーザが行う所定操作に応じて、例えば、電子チラシを配信中でない店舗標示ＭＫ１の表示を消去して、電子チラシを配信中の店舗標示ＭＫ１のみを店舗案内画像上で表示されるようにしてもよい。また、カテゴリを指定する所定操作に応じて、指定されたカテゴリの電子チラシを配信中の店舗の店舗標示ＭＫ１のみが店舗案内画像上で表示されるようにしてもよい。
【００２６】
ユーザは、店舗案内画像において表示されている店舗標示ＭＫ１に対してタッチ操作を行うことができる。店舗標示ＭＫ１に対してタッチ操作が行われるのに応じて、店舗案内画像上では、図２（ｂ）に例示するように、サムネイル画像ＴＨＮ１、ＴＨＮ２が表示される。なお、以降において、例えばサムネイル画像を個々に区別する必要の無い場合には、サムネイル画像ＴＨＮと記載する。
サムネイル画像ＴＨＮは、タッチ操作が行われた店舗標示ＭＫ１に対応する店舗が配信中の電子チラシの縮小画像である。図２（ｂ）においては、サムネイル画像ＴＨＮとして、２つのサムネイル画像ＴＨＮ１、ＴＨＮ２が表示されている例が示されている。このように２つのサムネイル画像ＴＨＮ１、ＴＨＮ２が表示されている場合、対応の店舗は、現在において、サムネイル画像ＴＨＮ１、ＴＨＮ２が示す２つの電子チラシを配信中であることを示す。つまり、店舗標示に対するタッチ操作に応じて表示される電子チラシのサムネイル画像ＴＨＮは、店舗が配信中の電子チラシの一覧を示している。
ユーザは、サムネイル画像ＴＨＮを見ることで、タッチ操作を行った店舗標示ＭＫ１に対応する店舗が配信中の電子チラシの内容の概要を知ることができる。
なお、サムネイル画像ＴＨＮは、例えば、タッチ操作行われた店舗標示ＭＫ１を起点とする吹き出しなどの態様により表示されるようにしてもよい。
【００２７】
また、図２（ｂ）の画面の上側に示すように、表示部３０４の画面においては、サムネイル画像ＴＨＮが表示されるのに応じてチラシタイトル領域ＡＲ１が表示される。チラシタイトル領域ＡＲ１には、サムネイル画像ＴＨＮが示す電子チラシに付されたタイトルや電池チラシの入稿者が付したコメントなどの、電子チラシに関する簡易な情報が表示される。
【００２８】
図２の説明から理解されるように、ユーザは、店舗標示ＭＫ１に対してタッチ操作を行ってサムネイル画像ＴＨＮを表示させることができる。これにより、ユーザは、店舗ごとの電子チラシの内容を概略的に把握できる。
【００２９】
そのうえで、本実施形態において、ユーザは、サムネイル画像ＴＨＮの内容を見て興味を持った電子チラシについては閲覧対象として登録し、特に興味のない電子チラシについては閲覧対象外とするように選り分けを行うことができる。このように選り分けを行うことで、ユーザは、閲覧対象として登録した１以上の電子チラシを、後からまとめて閲覧することができる。以下、電子チラシの選り分けの操作例について説明する。
【００３０】
図２（ｂ）に示すように表示されたサムネイル画像ＴＨＮは、対応の店舗標示ＭＫ１に対するタッチ操作を解除した後においても、例えば、サムネイル画像ＴＨＮを消去するための操作（例えば、地図画像上をタッチする操作）が行われるまで、あるいは一定時間を経過するまで、消去されることなく継続して表示される。
このようにサムネイル画像ＴＨＮの表示が継続されている状態においては、例えば、図３（ａ）の画面の右側に示すようにチェックエリアＡＲ２が表示される。チェックエリアＡＲ２は、ユーザが閲覧対象として登録した電子チラシのサムネイル画像ＴＨＮが格納される領域である。
ユーザは、例えばサムネイル画像ＴＨＮの内容を見て、後から対応の電子チラシを閲覧したいと思ったのであれば、対応の電子チラシを閲覧対象に登録する操作を行う。閲覧対象への登録操作は、閲覧対象とすべき電子チラシのサムネイル画像ＴＨＮをチェックエリアＡＲ２に移動させる操作である。この操作は、具体的に、表示部３０４の画面上で、電子チラシのサムネイル画像ＴＨＮ上にタッチさせた指をチェックエリアＡＲ２の方向に素早く移動させるフリック操作であればよい。
【００３１】
サムネイル画像ＴＨＮをチェックエリアＡＲ２に移動させる操作に応じて、操作対象とされたサムネイル画像ＴＨＮは、チェックエリアＡＲ２においても格納された状態で表示されるようになる。チェックエリアＡＲ２に格納されているサムネイル画像は、対応の電子チラシが閲覧対象として登録されていることを示す。
そして、ユーザは、他の店舗についても同様に、店舗標示ＭＫ１をタッチしてサムネイル画像ＴＨＮを表示させ、サムネイル画像ＴＨＮが示す内容に興味を持ったのであれば、上記と同様にサムネイル画像ＴＨＮをチェックエリアＡＲ２に移動させる操作を行えばよい。これにより、ユーザは、サムネイル画像ＴＨＮをチェックエリアＡＲ２に格納させていくようにして、順次、閲覧対象の電子チラシを登録していくことができる。
【００３２】
そして、複数の電子チラシが閲覧対象として登録された場合には、チェックエリアＡＲ２において、例えばユーザが登録した順にしたがって上から下方向にかけて順次配列されていくように格納される。
具体例として図３（ｂ）には、チェックエリアＡＲ２において上から順に、３つのサムネイル画像ＴＨＮ２、ＴＨＮ１１、ＴＨＮ１２が配列された状態が示されている。この状態は、サムネイル画像ＴＨＮ２、ＴＨＮ１１、ＴＨＮ１２に対応する電子チラシの順で閲覧対象に登録されたことを示している。
【００３３】
また、図３（ａ）と図３（ｂ）とを比較して分かるように、図３（ａ）における３つの店舗標示ＭＫ１は、図３（ｂ）において、それぞれ、店舗標示ＭＫ２ａ、ＭＫ２ｂ、ＭＫ２ｃに態様が変更されている。具体的に、店舗標示ＭＫ２ａ、ＭＫ２ｂ、ＭＫ２ｃは、店舗標示ＭＫ１と相似な形状とされたうえで、店舗標示ＭＫ１よりも大きなサイズで表示されている。
なお、以降において、店舗標示ＭＫ２ａ、ＭＫ２ｂ、ＭＫ２ｃについて特に区別しない場合には、店舗標示ＭＫ２と記載する。
【００３４】
店舗標示ＭＫ２は、対応の店舗が配信している電子チラシが閲覧対象として登録されていることを示す。一方、店舗標示ＭＫ１は、対応の店舗が配信している電子チラシは閲覧対象に登録されていないことを示す。
具体的に、図３（ｂ）において、店舗標示ＭＫ２ａが示す店舗は、チェックエリアＡＲ２に格納されるサムネイル画像ＴＨＮ２の電子チラシを配信している店舗である。店舗標示ＭＫ２ｂが示す店舗は、チェックエリアＡＲ２に格納されるサムネイル画像ＴＨＮ１１の電子チラシを配信している店舗である。店舗標示ＭＫ２ｃが示す店舗は、チェックエリアＡＲ２に格納されるサムネイル画像ＴＨＮ１２の電子チラシを配信している店舗である。
【００３５】
ここで、１つの店舗が複数の電子チラシが配信している場合には、複数の電子チラシにおいて閲覧対象に登録されている電子チラシと、閲覧対象に登録されていない電子チラシとが混在する可能性がある。
このような場合、店舗が配信している複数の電子チラシのうちの少なくとも１つの電子チラシが閲覧対象に登録されていれば、この店舗については店舗標示ＭＫ２による表示が行われるようにすればよい。
【００３６】
また、店舗標示ＭＫ２の表示態様は、店舗標示ＭＫ１と視覚的に区別が可能であればよく、特に限定されない。例えば、店舗標示ＭＫ２は、店舗標示ＭＫ１と形状が異なっていてもよいし、色が異なっていてもよい。
【００３７】
また、図３（ｂ）のようにチェックエリアＡＲ２にサムネイル画像ＴＨＮが格納されている状態において、ユーザは、チェックエリアＡＲ２に格納されているサムネイル画像ＴＨＮから１つを選択してタッチ操作を行うことができる。
チェックエリアＡＲ２内のサムネイル画像ＴＨＮに対するタッチ操作に応じては、例えば図３（ｂ）に示すように、タッチ操作が行われたサムネイル画像ＴＨＮに対応する電子チラシ配信元の店舗の店舗標示ＭＫ１を起点とする吹き出しＦＤが表示される。吹き出しＦＤにおいては、対応の店舗の店名などをはじめとする店舗に関する所定の情報が示される。
このように吹き出しＦＤが表示されることにより、ユーザは、チェックエリアＡＲ２に格納したサムネイル画像ＴＨＮに対応する電子チラシの配信元の店舗をその位置とともに確認することができる。
【００３８】
また、図３（ｂ）の店舗案内画像においては、例えば左下において閲覧指示ボタンＢＴ１が配置されている。閲覧指示ボタンＢＴ１に対する操作が行われるのに応じて、端末装置３００は、閲覧指示ボタンＢＴ１に対する操作が行われたときにチェックエリアＡＲ２に格納されていたサムネイル画像ＴＨＮが対応する電子チラシの画像を表示部３０４の画面に表示させる。なお、閲覧指示ボタンＢＴ１に対する操作に応じて表示部３０４の画面に表示される電子チラシの態様例については後述する。
【００３９】
このように、本実施形態においては、地図画像上の店舗標示に対してタッチ操作を行うことで、店舗が配信する電子チラシのおおよその内容をサムネイル画像ＴＨＮによって確認し、自分にとって興味があるかどうかを判断できる。そして、興味を持った場合には、サムネイル画像ＴＨＮをチェックエリアＡＲ２に移動させるという操作によって、閲覧対象の電子チラシとして登録することができる。
つまり、本実施形態では、電子チラシの内容を確認したうえで、閲覧対象の電子チラシと閲覧対象外の電子チラシとの選り分けを行うことができる。これにより、例えば、ユーザは、普段は興味の無いようなカテゴリの電子チラシなどについても選り分け前の段階で内容を確認する機会が得られ、内容に興味が有れば閲覧対照に登録できる。このように、本実施形態では、地図情報と連携して配信される電子チラシを選り分けるにあたり、ユーザが選り分け対象の電子チラシの内容を確認することになるため、チラシとしての効用が十分に発揮される。
【００４０】
図４（ａ）は、図３にて説明した操作によりチェックエリアＡＲ２にサムネイル画像ＴＨＮ２、ＴＨＮ１１、ＴＨＮ１２を格納させた後において、改めて店舗案内画像を表示させた場合の例を示している。
図４（ａ）の店舗案内画像においては、図３（ｂ）と同様の位置にて店舗標示ＭＫ１と、店舗標示ＭＫ２ａ、ＭＫ２ｂ，ＭＫ２ｃが配置されている。ユーザは、図４（ａ）の店舗案内画像を見ることで、表示されている地域において示される店舗のうちから、自分が閲覧対象に登録した電子チラシを配信している店舗を容易に区別することができる。
【００４１】
そして、図４（ａ）の状態から、例えば店舗標示ＭＫ２に対するタッチ操作を行った場合には、図４（ｂ）に示すように、店舗標示ＭＫ２が示す店舗が配信中の２枚の電子チラシのサムネイル画像ＴＨＮ１、ＴＨＮ２が表示される。
図４（ｂ）に示されるサムネイル画像ＴＨＮ１、ＴＨＮ２のチラシとしての内容は、例えば図３（ａ）の場合と同様である。ただし、図４（ｂ）において、サムネイル画像ＴＨＮ２については、閲覧対象の電子チラシとして登録済みであることを示す通知画像ｉｎｆ１が付加されるように表示される。つまり、閲覧対象に登録されている電子チラシのサムネイル画像については、閲覧対象に登録されていることを示す態様により表示される。
一方、サムネイル画像ＴＨＮ１については、通知画像ｉｎｆ１は付加されることなく、図３と同様の状態で表示される。このような態様の表示は、対応の電子チラシが閲覧対象に登録されていないことを示す。
【００４２】
このようにサムネイル画像ＴＨＮの表示が行われることで、ユーザは、サムネイル画像ＴＨＮ１、ＴＨＮ２を見て、対応の電子チラシが閲覧対象として登録済みであるか否かを視覚的に判断できるようになる。これにより、例えばユーザが、閲覧対象として登録済みの電子チラシであるのにかかわらず、再び登録の操作を行ってしまうようなことが防がれる。
【００４３】
そして、本実施形態において、閲覧対象として登録した電子チラシは例えば以下のような操作によって閲覧することができる。
図５（ａ）には、図３（ｂ）と同じ内容によるチェックエリアＡＲ２が表示された店舗案内画像が示されている。図５（ａ）のチェックエリアＡＲ２に配置されているサムネイル画像ＴＨＮに対応する電子チラシを閲覧しようとする場合、ユーザは、図５（ａ）の店舗案内画像に配置されている閲覧指示ボタンＢＴ１に対するタッチ操作を行う。
【００４４】
閲覧指示ボタンＢＴ１に対するタッチ操作に応じて、表示部３０４の画面には、図５（ｂ）に示すように、例えば１つの電子チラシに対応するチラシ画像Ｐが表示される。なお、図５（ｂ）の例では、店舗案内画像上に重畳されるようにチラシ画像Ｐが表示される態様を示しているが、例えば、店舗案内画像が消去されたうえで、チラシ画像Ｐが表示される態様であってもよい。
このように表示されたチラシ画像Ｐは、例えば、画面に対するピンチアウト、ピンチインなどの操作に応じて拡大及び縮小が可能である。また、拡大されたことによって電子チラシの画像が画面に収まりきらない状態となった場合には、スライド操作によって電子チラシの画像を移動させることが可能である。ユーザは、チラシ画像Ｐの拡大、縮小を行いながら、チラシ画像Ｐにおいて示されている広告内容の細部までを確認することができる。
【００４５】
また、図５（ａ）におけるチェックエリアＡＲ２における上から下にかけてのサムネイル画像ＴＨＮの配列順、つまり、閲覧対象への登録順は、例えば、チラシ画像Ｐとして表示させる際の表示順に対応する。
具体的に、図５（ａ）における閲覧指示ボタンＢＴ１に対するタッチ操作を行うことによっては、サムネイル画像ＴＨＮ２に対応する電子チラシの画像が最初に表示される。そして、サムネイル画像ＴＨＮ２に対応するチラシ画像Ｐが表示されている状態のもとで次のチラシを表示させる操作が行われるのに応じて、表示部３０４の画面はサムネイル画像ＴＨＮ１１に対応するチラシ画像Ｐの表示に切り換わる。また、サムネイル画像ＴＨＮ１１に対応するチラシ画像Ｐが表示されている状態において、さらに次のチラシの表示に切り換える操作が行われると、サムネイル画像ＴＨＮ１２に対応するチラシ画像Ｐの表示に切り換わる。
また、サムネイル画像ＴＨＮ１２に対応するチラシ画像Ｐが表示されている状態において、前のチラシの表示に戻す操作が行われると、サムネイル画像ＴＨＮ１１に対応するチラシ画像Ｐの表示に切り換わる。
【００４６】
また、店舗案内画像上にチェックエリアＡＲ２が表示されている状態では、電子チラシを閲覧対象から除外するための操作を以下のように行うことができる。
つまり、ユーザは、チェックエリアＡＲ２に配置されているサムネイル画像ＴＨＮのうちで閲覧対象から除外したい電子チラシに対応するサムネイル画像ＴＨＮを選択して、チェックエリアＡＲ２から地図画像の領域に移動させるようにフリック操作を行う。
図６（ａ）は、サムネイル画像ＴＨＮ１１に対応する電子チラシを閲覧対象から除外するために、ユーザがサムネイル画像ＴＨＮ１１をチェックエリアＡＲ２から地図画像の領域に移動させるフリック操作を行っている例が示されている。
【００４７】
図６（ａ）に示される操作に応じて、サムネイル画像ＴＨＮ１１に対応する電子チラシは閲覧対象から除外される。また、店舗案内画像上では、閲覧対象から除外されたことを反映する表示が行われる。具体的には、図６（ｂ）のチェックエリアＡＲ２に示すように、サムネイル画像ＴＨＮ１１が消去され、サムネイル画像ＴＨＮ１、ＴＨＮ１２のみが配置される状態に変化する。
ここで、サムネイル画像ＴＨＮ１１に対応する電子チラシを配信している店舗は、図６（ａ）のときには店舗標示ＭＫ２ｂによって示されていた。しかし、店舗標示ＭＫ２ｂによって示されていた店舗は、上記の操作によって、配信している全ての電子チラシが閲覧対象外となった。これに応じて、図６（ａ）の店舗標示ＭＫ２ｂは、図６（ｂ）に示されるように、店舗標示ＭＫ１に変化する。
【００４８】
［端末装置の構成例］
図７は、本実施形態に係る端末装置３００の構成例を示している。図７の端末装置３００は、通信部３０１、制御部３０２、記憶部３０３、表示部３０４及び操作部３０５を備える。
【００４９】
通信部３０１は、ネットワーク４００を経由して電子チラシ配信サーバ１００、地図サーバ２００と通信を実行する。
【００５０】
制御部３０２は、電子チラシの閲覧に対応する各種の制御、処理を実行する。制御部３０２は、例えば端末装置３００が備えるＣＰＵ（Central Processing Unit）に電子チラシ閲覧アプリケーション３１０のプログラムを実行させることにより実現される機能部である。
制御部３０２は、地図情報取得部３２１、配信状況情報取得部３２２、店舗案内画像表示部３２３、チラシサムネイル表示部３２４、閲覧対象チラシ管理部３２５及び電子チラシ出力部３２６を備える。
【００５１】
地図情報取得部３２１は、地図サーバ２００から地図情報を取得する。
地図情報取得部３２１は、地図情報の取得にあたり基準位置の情報を含む地図情報要求を通信部３０１からネットワーク４００経由で地図サーバ２００に送信する。地図サーバ２００は、地図情報要求の受信に応じて、地図情報要求に含まれていた基準位置の情報が示す位置を基準とする一定範囲内の地図情報を端末装置３００に送信する。このように送信された地図情報が端末装置３００にて受信されることで、地図情報取得部３２１は地図情報を取得することができる。
【００５２】
配信状況情報取得部３２２は、電子チラシ配信サーバ１００から配信状況情報を取得する。
配信状況情報取得部３２２は、配信状況情報の取得にあたり、配信状況情報要求を通信部３０１からネットワーク４００経由で電子チラシ配信サーバ１００に送信する。電子チラシ配信サーバ１００は、配信状況情報要求の受信に応答して、現在の各店舗の電子チラシの配信状況を示す配信状況情報を端末装置３００に送信する。このように送信された配信状況情報が端末装置３００にて受信されることで、配信状況情報取得部３２２は地図情報を取得することができる。
【００５３】
なお、配信状況情報取得部３２２は、配信状況情報要求に対して、地図情報要求に含まれているのと同じ基準位置の情報を含めて送信してもよい。配信状況情報要求に基準位置の情報を含めた場合、電子チラシ配信サーバ１００は、基準位置の情報が示す位置を基準とする一定範囲内に位置する店舗の配信状況情報を送信する。
【００５４】
ここで、図８を参照して配信状況情報の構造例について説明する。図８に示す配信状況情報は、店舗ごとに対応して、店舗ＩＤと店舗位置情報と電子チラシ情報とを格納した構造である。
店舗ＩＤは、対応の店舗を一意に識別するように付与される識別子である。
店舗位置情報は、対応の店舗の位置を示す情報である。店舗位置情報は、例えば、地図情報が緯度及び経度により位置を示すのに対応して、店舗の位置を緯度及び経度により示す。なお、例えば地図情報が住所によって位置を示している場合には、店舗位置情報が住所を示すようにしてもよい。
【００５５】
電子チラシ情報は、対応の店舗が配信（公開）中の電子チラシに関連する情報である。電子チラシ情報は、対応の店舗が配信中の電子チラシごとに、電子チラシＩＤ、配信期間、サムネイルＵＲＩ、電子チラシデータＵＲＩ、チラシメタデータを格納する。
電子チラシＩＤは、対応の電子チラシを一意に識別するように付加される識別子である。
配信期間は、対応の電子チラシの配信期間（例えば、配信開始日時と配信終了日時）を示す。
サムネイルＵＲＩ（Uniform Resource Identifier）は、対応の電子チラシのサムネイル画像のデータのネットワーク上での場所を示す。サムネイルＵＲＩにアクセスして取得されたサムネイル画像のデータは、例えば図２（ｂ）などに示したように表示されるサムネイル画像ＴＨＮとして利用される。
電子チラシデータＵＲＩは、対応の電子チラシのデータのネットワーク上での場所を示す。電子チラシデータＵＲＩにアクセスして取得された電子チラシのデータは、例えば図５（ｂ）に示したように表示されるチラシ画像Ｐとして利用される。
チラシメタデータは、対応の電子チラシに関連する各種のメタデータを格納する。チラシメタデータとして格納されるメタデータは、例えば、電子チラシのカテゴリを示すカテゴリ情報、電子チラシのタイトルなどを示すタイトル情報などである。タイトル情報は、例えば、チラシタイトル領域ＡＲ１の表示などに利用される。
【００５６】
説明を図７に戻す。
店舗案内画像表示部３２３は、地図情報取得部３２１が取得した地図情報と、配信状況情報取得部３２２が取得した配信状況情報とを利用して、図２（ａ）、図４（ａ）などに例示した店舗案内画像を表示させる。
具体的に、店舗案内画像表示部３２３は、地図情報を利用して店舗案内画像における地図画像を生成し、配信状況情報を利用して地図画像上に店舗標示ＭＫ１、ＭＫ２などの画像を配置させる。この際、店舗案内画像表示部３２３は、地図画像上で、配信状況情報において対応の店舗の店舗位置情報が示す位置（緯度、経度）に店舗標示ＭＫ１、ＭＫ２を配置させる。店舗案内画像表示部３２３は、このように地図画像上に店舗標示ＭＫ１、ＭＫ２を配置させることによって店舗案内画像を生成し、生成した店舗案内画像を表示部３０４に表示させる。
【００５７】
また、店舗案内画像表示部３２３は、地図画像上に店舗標示を配置した店舗案内画像を表示するにあたり、閲覧対象に登録されている電子チラシを配信している店舗の店舗標示と、閲覧対象に登録されている電子チラシを配信していない店舗の店舗標示とで、それぞれ異なる態様により表示する。
【００５８】
チラシサムネイル表示部３２４は、操作によって選択された店舗標示が示す店舗が配信している電子チラシのサムネイル画像を表示する。つまり、チラシサムネイル表示部３２４は、図２（ｂ）または図４（ｂ）に例示したように、店舗標示ＭＫ１、ＭＫ２に対してタッチ操作が行われるのに応じて、サムネイル画像ＴＨＮを表示する。
具体的に、チラシサムネイル表示部３２４は、タッチ操作が行われた店舗標示ＭＫ１、ＭＫ２に対応する店舗の店舗ＩＤに対応付けられている電子チラシごとのサムネイルＵＲＩを取得する。チラシサムネイル表示部３２４は、取得したサムネイルＵＲＩごとのサムネイル画像のデータを取得し、取得したサムネイル画像のデータをサムネイル画像ＴＨＮとして店舗案内画像上に表示させる。
【００５９】
閲覧対象チラシ管理部３２５は、閲覧対象のチラシを管理する。閲覧対象チラシ管理部３２５は、閲覧対象のチラシを管理するにあたり、閲覧対象チラシリストを利用する。
閲覧対象チラシリストは、図３（ｂ）などに示したチェックエリアＡＲ２に格納されたサムネイル画像ＴＨＮに対応する電子チラシのリストである。
具体的に、閲覧対象チラシリストは、閲覧対象として登録された電子チラシの電子チラシＩＤを格納する。閲覧対象チラシリストにおける電子チラシＩＤは、例えば登録順が示されるように登録される。閲覧対象チラシリストは、記憶部３０３の閲覧対象チラシリスト記憶部３３１に記憶される。
【００６０】
また、閲覧対象チラシ管理部３２５は、チラシサムネイル表示部３２４によって表示されたサムネイル画像ＴＨＮのうちから指定されたサムネイル画像に対応する電子チラシを閲覧対象に登録する。
具体的に、閲覧対象チラシ管理部３２５は、図３（ａ）にして説明したように、地図画像上のサムネイル画像ＴＨＮをチェックエリアＡＲ２に移動させる操作に応じて、移動されたサムネイル画像ＴＨＮに対応する電子チラシＩＤを配信状況情報の電子チラシ情報から取得する。閲覧対象チラシ管理部３２５は、取得した電子チラシＩＤを、例えば閲覧対象チラシリストにおける最後の登録順に対応させて登録する。これにより、閲覧対象の電子チラシが新規に登録される。
【００６１】
また、閲覧対象チラシ管理部３２５は、閲覧対象に登録されていた電子チラシを閲覧対象から除外する操作が行われるのに応じて、操作の対象とされた電子チラシを閲覧対象から除外する。
具体的に、閲覧対象チラシ管理部３２５は、図６（ａ）にて説明したようにチェックエリアＡＲ２から地図画像にサムネイル画像ＴＨＮを移動させる操作に応じて、移動されたサムネイル画像ＴＨＮに対応する電子チラシＩＤを閲覧対象チラシリストから削除する。これにより、チェックエリアＡＲ２から地図画像に移動されたサムネイル画像ＴＨＮに対応する電子チラシが閲覧対象から除外される。
【００６２】
また、閲覧対象チラシ管理部３２５は、閲覧対象チラシリストを利用して、図３、図６などに示すように、チェックエリアＡＲ２における表示内容を制御する。つまり、閲覧対象チラシ管理部３２５は、閲覧対象チラシリストが示す電子チラシＩＤに対応付けられたサムネイルＵＲＩを配信状況情報から取得する。閲覧対象チラシ管理部３２５は、取得したサムネイルＵＲＩにアクセスしてサムネイル画像のデータを取得し、取得したサムネイル画像のデータを利用してサムネイル画像を生成する。閲覧対象チラシ管理部３２５は、閲覧対象チラシリストが示す登録順にしたがって、生成したサムネイル画像をチェックエリアＡＲ２に配列させる。
【００６３】
電子チラシ出力部３２６は、電子チラシがユーザによって閲覧されるように出力する。具体的に、電子チラシ出力部３２６は、例えば図５にて説明したように、閲覧指示ボタンＢＴ１に対する操作が行われるのに応じて、閲覧対象チラシリストが示す電子チラシＩＤに対応付けられている電子チラシデータＵＲＩを配信状況情報から取得する。電子チラシ出力部３２６は、取得した電子チラシデータＵＲＩのそれぞれから電子チラシのデータを取得する。電子チラシ出力部３２６は、取得した電子チラシのデータのうちで、表示対象である１つの電子チラシのデータを表示部３０４に表示させる。
【００６４】
記憶部３０３は、制御部３０２が利用する各種の情報を記憶する。図７に示す記憶部３０３は、閲覧対象チラシリスト記憶部３３１を備える。閲覧対象チラシリスト記憶部３３１は閲覧対象チラシリストを記憶する。
【００６５】
表示部３０４は、制御部３０２の制御に応じて画像を表示する。これまでの説明から理解されるように、表示部３０４は、制御部３０２の制御に応じて、図２〜図６に示した店舗案内画像やチラシ画像Ｐなどの画像を表示することができる。
【００６６】
操作部３０５は、端末装置３００に対する操作を受け付ける。本実施形態の操作部３０５は、例えば表示部３０４と一体となるように備えられたタッチパネルを含む。タッチパネルを備えることにより、表示部３０４の画面に指などの操作体を触れることによる操作が可能となる。
【００６７】
［処理手順例］
図９のフローチャートは、店舗案内画像の表示を開始させる操作、または、更新のために端末装置３００が実行する処理手順例を示している。
店舗案内画像表示部３２３は、店舗案内画像の表示開始または店舗案内画像における地図画像をスクロールさせる操作が行われるのを待機している（ステップＳ１０１−ＮＯ）。そして、店舗案内画像の表示開始または地図画像のスクロールの操作が行われるのに応じて（ステップＳ１０１−ＹＥＳ）、地図情報取得部３２１は、地図サーバ２００から地図情報を取得する（ステップＳ１０２）。
地図サーバ２００から地図情報を取得するにあたり、地図情報取得部３２１は、前述のように基準位置の情報を含む地図情報要求を地図サーバ２００に送信する。基準位置は、例えば、表示開始時であれば、予め登録された位置もしくは現在位置である。また、地図画面のスクロール操作が行われた場合は、スクロールに応じて更新された地図上での表示の中心位置であればよい。
地図サーバ２００は、地図情報要求の受信に応答して、基準位置の情報が示す基準位置に対して一定範囲の地図情報を送信する。地図情報取得部３２１は、このように送信された地図情報を取得する。
【００６８】
また、配信状況情報取得部３２２は、電子チラシ配信サーバ１００から配信状況情報を取得する（ステップＳ１０３）。
配信状況情報の取得にあたり、配信状況情報取得部３２２は、配信状況情報要求を電子チラシ配信サーバ１００に送信する。電子チラシ配信サーバ１００は、配信状況情報要求の受信に応答して、現在における各店舗の電子チラシの配信状況を示す配信状況情報を送信する。送信された配信状況情報は、通信部３０１にて受信される。配信状況情報取得部３２２は、受信された配信状況情報を通信部３０１から取得する。
【００６９】
次に、店舗案内画像表示部３２３は、閲覧対象チラシリスト記憶部３３１が記憶する閲覧対象チラシリストを参照する（ステップＳ１０４）。
次に、店舗案内画像表示部３２３は、店舗案内画像の新規表示、もしくは、店舗案内画像の更新表示を実行する（ステップＳ１０５）。
つまり、店舗案内画像表示部３２３は、ステップＳ１０２にて取得した地図情報により地図画像を表示させ、ステップＳ１０３にて取得した配信状況情報を利用して、地図画像上に店舗標示を表示させる。
【００７０】
なお、図９の処理では、端末装置３００が地図サーバ２００と電子チラシ配信サーバ１００のそれぞれから地図情報と配信状況情報を取得して店舗案内画像を表示させているが、以下のような構成によって店舗案内画像を表示させてもよい。つまり、例えば、地図サーバ２００が電子チラシ配信サーバ１００から配信状況情報を取得し、取得した配信状況情報を利用して店舗の情報が付加された地図情報を生成し、端末装置３００に送信する。端末装置３００は、受信した地図情報と、地図情報に付加された店舗の情報とを利用して店舗標示などを配置させた店舗案内画像を表示させる。
【００７１】
図１０のフローチャートは、図９のステップＳ１０５において、店舗案内画像表示部３２３が、閲覧対象チラシリストの内容に基づいて、図４（ａ）に示した店舗標示ＭＫ１、もしくは店舗標示ＭＫ２を表示するための処理手順例を示している。
まず、店舗案内画像表示部３２３は、配信状況情報において示される店舗のうちから１つの処理対象の店舗を選択する（ステップＳ２０１）。
次に、店舗案内画像表示部３２３は、処理対象の店舗が配信中の電子チラシは、閲覧対象チラシリストに登録されているか否かについて判定する（ステップＳ２０２）。このためには、店舗案内画像表示部３２３は、閲覧対象チラシリストに登録されている電子チラシＩＤが、配信状況情報における処理対象の店舗の電子チラシ情報に含まれているか否かについて判定すればよい。
処理対象の店舗が配信中の電子チラシは閲覧対象チラシリストに登録されていると判定した場合（ステップＳ２０２−ＹＥＳ）、店舗案内画像表示部３２３は、地図画像上における処理対象の店舗の位置に対して、チェック対象の店舗であることを示す店舗標示ＭＫ２を表示させる（ステップＳ２０３）。
一方、処理対象の店舗が配信中の電子チラシは閲覧対象チラシリストに登録されていないと判定した場合（ステップＳ２０２−ＮＯ）、店舗案内画像表示部３２３は、地図画像上における処理対象の店舗の位置に対して、チェック対象外の店舗であることを示す店舗標示ＭＫ１を表示させる（ステップＳ２０４）。
【００７２】
ステップＳ２０３またはステップＳ２０４の処理を実行した後、店舗案内画像表示部３２３は、全ての処理対象の店舗について店舗標示を表示させたか否かについて判定する（ステップＳ２０５）。
未だ処理対象の店舗が残っている場合（ステップＳ２０５−ＮＯ）、店舗案内画像表示部３２３は、ステップＳ２０１に戻る。これにより、次の処理対象の店舗が処理対象として選択される。
そして、全ての処理対象の店舗についての店舗標示の表示が完了すると（ステップＳ２０５−ＹＥＳ）、店舗案内画像における店舗標示の表示のための制御が終了する。
【００７３】
図１１のフローチャートは、図２（ｂ）、図４（ｂ）などに示した店舗標示ＭＫ１、ＭＫ２に対する操作に応じた電子チラシのサムネイル画像の表示と、閲覧対象チラシリストの管理のために端末装置３００が実行する処理手順例を示している。
チラシサムネイル表示部３２４は、図２（ｂ）、図４（ｂ）などに示した店舗標示ＭＫ１または店舗標示ＭＫ２に対するタッチ操作が行われるのを待機している（ステップＳ３０１−ＮＯ）。そして、店舗標示ＭＫ１または店舗標示ＭＫ２に対するタッチ操作が行われるのに応じて、チラシサムネイル表示部３２４は、タッチ操作が行われた店舗標示ＭＫ１または店舗標示ＭＫ２によって示される店舗が配信中の電子チラシのサムネイル画像ＴＨＮを、店舗案内画像上に表示させる（ステップＳ３０２）。
【００７４】
ステップＳ３０２による電子チラシのサムネイル画像ＴＨＮの表示が継続されている状態のもとで、閲覧対象チラシ管理部３２５は、サムネイル画像ＴＨＮとチェックエリアＡＲ２の消去に対応する操作が行われたか否かについて判定する（ステップＳ３０３）。
サムネイル画像ＴＨＮの消去に対応する操作が行われない場合（ステップＳ３０３−ＮＯ）、閲覧対象チラシ管理部３２５は、電子チラシを閲覧対象に登録する操作、または、閲覧対象から電子チラシを除外する操作が行われるのを待機する（ステップＳ３０４−ＮＯからステップＳ３０３−ＮＯによりステップＳ３０４に戻る処理）。
電子チラシを閲覧対象に登録する操作は、図３（ａ）にて説明したように、地図画像上の電子チラシのサムネイル画像ＴＨＮをチェックエリアＡＲ２に移動させる操作である。閲覧対象から電子チラシを除外する操作は、図６（ａ）にて説明したように、チェックエリアＡＲ２のサムネイル画像ＴＨＮを地図画像上に移動させる操作である。
【００７５】
電子チラシを閲覧対象に登録する操作、または、閲覧対象から電子チラシを除外する操作が行われるのに応じて（ステップＳ３０４−ＹＥＳ）、閲覧対象チラシ管理部３２５は、閲覧対象チラシリスト記憶部３３１が記憶する閲覧対象チラシリストを更新する（ステップＳ３０５）。
つまり、閲覧対象チラシ管理部３２５は、閲覧対象の電子チラシを登録する操作が行われた場合には、操作の対象とされたサムネイル画像ＴＨＮに対応する電子チラシＩＤを閲覧対象チラシリストにおける最後の登録順に対応させて新規に登録する。
一方、閲覧対象の電子チラシの登録を除外する操作が行われた場合には、操作の対象とされたサムネイル画像ＴＨＮに対応する電子チラシＩＤを閲覧対象チラシリストから削除する。この際、閲覧対象チラシリストにおける電子チラシＩＤの登録順については、電子チラシＩＤの削除に応じて以降の登録順を繰り上げる。
【００７６】
また、閲覧対象チラシ管理部３２５は、ステップＳ３０５により更新した閲覧対象チラシリストの内容が反映されるように、チェックエリアＡＲ２におけるサムネイル画像ＴＨＮの表示を変更する（ステップＳ３０６）。
つまり、ステップＳ３０５において電子チラシＩＤを閲覧対象チラシリストに新規に登録する変更を行った場合には、新規に登録された電子チラシＩＤに対応するサムネイル画像のデータを取得する。そして、閲覧対象チラシ管理部３２５は、取得したサムネイル画像のデータを利用して生成したサムネイル画像ＴＨＮをチェックエリアＡＲ２に追加して表示させる。
また、ステップＳ３０５において電子チラシＩＤを閲覧対象チラシリストから削除する変更を行った場合には、削除された電子チラシＩＤに対応するサムネイル画像ＴＨＮをチェックエリアＡＲ２から消去する。
【００７７】
また、閲覧対象チラシ管理部３２５は、ステップＳ３０５により更新された閲覧対象チラシリストの内容に応じて、店舗案内画像上における店舗標示を変更する（ステップＳ３０７）。
つまり、閲覧対象チラシ管理部３２５は、ステップＳ３０５にて電子チラシＩＤを閲覧対象チラシリストに新規に登録する変更が行われたのに応じて、閲覧対象に登録された電子チラシを配信する店舗が追加となった場合、ステップＳ３０７として以下の処理を実行する。つまり、閲覧対象チラシ管理部３２５は、追加となった店舗の店舗標示を、店舗標示ＭＫ１から店舗標示ＭＫ２の態様に変更する。
【００７８】
また、閲覧対象チラシ管理部３２５は、電子チラシが閲覧対象から除外されたことによって配信している電子チラシの全てが閲覧対象外となった店舗の店舗標示について、閲覧対象に登録されている電子チラシを配信していないことを示す態様に変更する。
具体的に、閲覧対象チラシ管理部３２５は、ステップＳ３０５にて電子チラシＩＤが閲覧対象チラシリストから削除されたことにより、配信している電子チラシの全てが閲覧対象外となった店舗が新たに追加となった場合に、ステップＳ３０７として以下の処理を実行する。つまり閲覧対象チラシ管理部３２５は、新たに配信している電子チラシの全てが閲覧対象外となった店舗の店舗標示について、店舗標示ＭＫ２から店舗標示ＭＫ１の態様に変更する。
【００７９】
そして、例えばサムネイル画像ＴＨＮの表示の消去に対応する操作が行われるのに応じて（ステップＳ３０３−ＹＥＳ）、チラシサムネイル表示部３２４は、ステップＳ３０２により店舗案内画像上に表示させていたサムネイル画像ＴＨＮを消去する（ステップＳ３０８）。また、サムネイル画像ＴＨＮの消去に伴い、閲覧対象チラシ管理部３２５は、チェックエリアＡＲ２の表示を消去する。
【００８０】
図１２のフローチャートを参照して、図１１のステップＳ３０２の処理において、閲覧対象チラシリストに登録されている電子チラシに対応するサムネイル画像ＴＨＮに通知画像ｉｎｆ１を対応付けて表示させる（図４（ｂ）参照）ための処理手順例を示している。
まず、閲覧対象チラシ管理部３２５は、タッチ操作が行われた店舗標示ＭＫ１またはＭＫ２に対応して店舗案内画像上に表示すべきサムネイル画像のデータを取得する（ステップＳ４０１）。閲覧対象チラシ管理部３２５は、サムネイル画像のデータの取得にあたり、前述のように、タッチ操作が行われた店舗標示ＭＫ１またはＭＫ２が示す位置の店舗に対応付けられた電子チラシごとのサムネイルＵＲＩを情報配信状況情報から取得する。そして、閲覧対象チラシ管理部３２５は、取得したサムネイルＵＲＩごとにアクセスしてサムネイル画像データを取得すればよい。
【００８１】
次に、閲覧対象チラシ管理部３２５は、ステップＳ４０１により取得したサムネイル画像のデータのうちから、処理対象のサムネイル画像のデータを１つ選択する（ステップＳ４０２）。
閲覧対象チラシ管理部３２５は、ステップＳ４０２により処理対象として選択したサムネイル画像のデータに対応する電子チラシＩＤを配信状況情報から取得する。そして、取得した電子チラシＩＤが閲覧対象チラシリストに含まれているか否かについて判定する（ステップＳ４０３）。
【００８２】
電子チラシＩＤが閲覧対象チラシリストに含まれている場合（ステップＳ４０３−ＹＥＳ）、閲覧対象チラシ管理部３２５は、処理対象のサムネイル画像のデータから生成したサムネイル画像ＴＨＮに対して通知画像ｉｎｆ１を対応付けて店舗案内画像上に表示させる（ステップＳ４０４）。このように、チラシサムネイル表示部３２４は、標示すべきサムネイル画像ＴＨＮのうちで閲覧対象に登録されている電子チラシのサムネイル画像ＴＨＮについては、閲覧対象に登録されていることを示す態様により表示する。
一方、電子チラシＩＤが閲覧対象チラシリストに含まれていない場合（ステップＳ４０３−ＮＯ）、閲覧対象チラシ管理部３２５は、通知画像ｉｎｆ１を対応付けることなく、処理対象のサムネイル画像のデータから生成したサムネイル画像ＴＨＮのみを店舗案内画像上に表示させる（ステップＳ４０５）。
【００８３】
ステップＳ４０４またはステップＳ４０５の処理を実行した後、閲覧対象チラシ管理部３２５は、全ての処理対象のサムネイル画像のデータをサムネイル画像ＴＨＮとして表示させたか否かについて判定する（ステップＳ４０６）。
未だ処理対象のサムネイル画像のデータが残っている場合（ステップＳ４０６−ＮＯ）、閲覧対象チラシ管理部３２５は、ステップＳ４０２に戻る。これにより、次の処理対象のサムネイル画像のデータが処理対象として選択される。
そして、全ての処理対象のサムネイル画像のデータを表示させると（ステップＳ４０６−ＹＥＳ）、サムネイル画像ＴＨＮを表示させる処理が終了する。
【００８４】
なお、上述の制御部３０２の機能を実現するためのプログラムをコンピュータ読み取り可能な記録媒体に記録して、この記録媒体に記録されたプログラムをコンピュータシステムに読み込ませ、実行することにより上述の制御部３０２の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００８５】
１００  電子チラシ配信サーバ
２００  地図サーバ
３００  端末装置
３０１  通信部
３０２  制御部
３０３  記憶部
３０４  表示部
３０５  操作部
３１０  電子チラシ閲覧アプリケーション
３２１  地図情報取得部
３２２  配信状況情報取得部
３２３  店舗案内画像表示部
３２４  チラシサムネイル表示部
３２５  閲覧対象チラシ管理部
３２６  電子チラシ出力部
３３１  閲覧対象チラシリスト記憶部
４００  ネットワーク
【図１】
2014194640.tif 000003
【図２】
2014194640.tif 000004
【図３】
2014194640.tif 000005
【図４】
2014194640.tif 000006
【図５】
2014194640.tif 000007
【図６】
2014194640.tif 000008
【図７】
2014194640.tif 000009
【図８】
2014194640.tif 000010
【図９】
2014194640.tif 000011
【図１０】
2014194640.tif 000012
【図１１】
2014194640.tif 000013
【図１２】
2014194640.tif 000014